(57)【要約】【課題】洗面化粧台として適した機能を有すると共に施工が容易な樹脂製洗面ボウルを備えた洗面化粧台を提供することをその課題とするものである。【解決手段】樹脂製洗面ボウル本体１底面に排水口２を形成すると共に該排水口２より下方に垂下突出する配水管接続部３を一体に形成し、樹脂製洗面ボウル本体１背壁を立ち上げてなる立ち上げ背壁５に上面開口で下端水抜き孔７が上記排水管接続部３に開口連通したシャワーホース収納部６を形成し、さらに、樹脂製洗面ボウル本体１の立ち上げ背壁５にシャワーカラン保持部１２を形成し、該シャワーカラン保持部１２にシャワーカラン１３を引きだし自在に設けてなる樹脂製洗面ボウルを備えてなる洗面化粧台。【選択図】図２
2008125924.tif 000002
【特許請求の範囲】
【請求項１】
樹脂製洗面ボウル本体底面に排水口を形成すると共に該排水口より下方に垂下突出する配水管接続部を一体に形成し、樹脂製洗面ボウル本体背壁を立ち上げてなる立ち上げ背壁に上面開口で下端水抜き孔が上記排水管接続部に開口連通したシャワーホース収納部を形成し、さらに、樹脂製洗面ボウル本体の立ち上げ背壁にシャワーカラン保持部を形成し、該シャワーカラン保持部にシャワーカランを引きだし自在に設けてなる樹脂製洗面ボウルを備えてなる洗面化粧台。
【請求項２】
シャワーホース収納部に下部で連通する仕切板を上下方向に形成してオーバーフロー排水筒部を形成してなる請求項１記載の洗面化粧台。
【発明の詳細な説明】
【技術分野】
【０００１】
本発明は、樹脂製洗面ボウルを備えた洗面化粧台に関する。さらに詳しくは、樹脂製洗面ボウル本体底面に排水管接続部、樹脂製洗面ボウル本体の立ち上げ背壁に排水管接続部と開口連痛したシャワーホース収納部、さらにシャワーカラン保持部を形成してなる樹脂製洗面ボウルを備えて成る洗面化粧台に関するものである。
【背景技術】
【０００２】
従来から下記特許文献１の図１、図４に示される樹脂製洗面ボウルは知られている。即ち、この樹脂製洗面ボウルは成形後の意匠の自由度が高く、成型品の表面に塗装することが可能であることを目的としているものである。又、下記特許文献２に示される洗面ボウルも知られている。この洗面ボウルはシャワーホース収納部が形成され、シャワーホース収納部の下端開口部が洗面ボウルの排水管接続部に開口しており、シャワー使用中にシャワーホースを伝って流れ落ちる水をシャワーホース収納部に受け下端開口部より排水管接続部に流下させ排水させるものである。
【０００３】
この従来の洗面化粧台では、特許文献１に示される樹脂製洗面ボウルは樹脂で製造することに主目的があり洗面ボウルとしての機能に工夫がされていないものである。又、特許文献２に示される洗面ボウルはシャワーホース収納部に入る水を排水管接続部に流下させ排水させる機能を有しているが充分なものでなかった。
【特許文献１】特開２０００−３００４５０号公報  （要約、図１、図４）
【特許文献２】実開昭６３−１６９９８７号公報（図１）
【発明の開示】
【発明が解決しようとする課題】
【０００４】
本発明は、上記従来例における樹脂製洗面ボウルを樹脂製であるがために付加できる機能を考察し、洗面化粧台として適した機能を有すると共に施工が容易な樹脂製洗面ボウルを備えた洗面化粧台を提供することをその課題とするものである。
【課題を解決するための手段】
【０００５】
上記課題を解決するために、本発明にかかる洗面化粧台は、樹脂製洗面ボウル本体底面に排水口を形成すると共に該排水口より下方に垂下突出する配水管接続部を一体に形成し、樹脂製洗面ボウル本体背壁を立ち上げてなる立ち上げ背壁に上面開口で下端水抜き孔が上記排水管接続部に開口連通したシャワーホース収納部を形成し、さらに、樹脂製洗面ボウル本体の立ち上げ背壁にシャワーカラン保持部を形成し、該シャワーカラン保持部にシャワーカランを引きだし自在に設けてなる樹脂製洗面ボウルを備えてなるものである。
【０００６】
本発明にかかる他の一つの洗面化粧台はシャワーホース収納部に下部で連通する仕切板を上下方向に形成してオーバーフロー排水筒部を形成してなるものである。
【発明の効果】
【０００７】
請求項１に記載の洗面化粧台は、樹脂製洗面ボウルを設けており、而も、樹脂製洗面ボウルが樹脂製洗面ボウル本体に排水管接続部を一体に形成し、シャワーホース収納部を形成し、さらに、シャワーカラン保持部を形成してなるために、管接続部を別部品を準備して形成する必要がなく現場での施工作業が容易に行えるものである。
【０００８】
又、請求項２に記載の洗面化粧台は、シャワーホース収納部に下部で連通する仕切板を上下方向に形成してオーバーフロー排水筒部を形成してなる樹脂製ボウルを備えているために、樹脂製洗面ボウルのオーバーフロー口より流れ出る水はオーバーフロー排水筒部に入り排水管接続部より排水され、請求項１に記載の発明の効果に加え、オーバーフロー口より流れ出る水の排水が容易に行えるものである。
【発明を実施するための最良の形態】
【０００９】
以下、本発明の実施形態について図面を参照して、詳細に説明する。図１は本発明の洗面化粧台に用いる樹脂製洗面ボウルの実施例を示す斜視図、図２は図１に示す実施例である樹脂製洗面ボウルの縦断面説明図である。
【００１０】
図１、図２において、１は樹脂製洗面ボウル本体である。この樹脂製洗面ボウル本体１は、例えばアクリル樹脂、エポキシ樹脂、不飽和ポリエステル樹脂等で形成されるものである。樹脂製洗面ボウル本体１の底面には排水口２が形成され、排水口２には下方に垂下突出する排水管接続部３が形成されている。排水管接続部３の外面にはネジ部４が形成され排水管（図示せず）を直接に取り付けることができるもので、別部品を用いる必要がなく施工が容易なものである。
【００１１】
樹脂製洗面ボウル本体１の本体背壁を立ち上げて形成した立ち上げ背壁５にはシャワーホース収納部６が形成されている。シャワーホース収納部６は上面開口で下端水抜き孔７が排水管接続部３に開口連通したものであり、シャワーホース８を引きだし自在に収納してなるもので、シャワーを使用したときにシャワーホース８を伝って流れ落ちる水を受け下端水抜き孔７より排水管接続部３を通じて排水管に排水するものである。
【００１２】
このシャワーホース収納部６はさらに仕切板９を上下方向に形成してオーバーフロー排水筒部１０を形成している。仕切板９下部ではシャワーホース収納部６とオーバーフロー排水筒部１０は連通している。図１、図２では仕切板９はシャワーホース収納部６とオーバーフロー排水筒部１０を上下に重ねた状態（特に下方部分）に仕切っているが当然のことながら仕切板９はシャワーホース収納部６とオーバーフロー排水筒部１０を左右に並列に仕切っても良いものである。
【００１３】
１１は樹脂製洗面ボウル本体１に形成されたオーバーフロー口である。オーバーフロー口１１は樹脂製洗面ボウルより水が溢れる状態になったとき、その溢れる水を排水するもので、オーバーフロー口１１から流れ出た水はオーバーフロー排水筒部１０に入り、シャワーホース収納部６の排水と同じく下端水抜き孔７より排水管接続部３を通じて排水管に排水するものである。
【００１４】
又、樹脂製洗面ボウル本体１の本体背壁を立ち上げて形成した立ち上げ背壁５にはシャワーカラン保持部１２が形成されている。シャワーカラン保持部１２はシャワーカラン１３を保持するもので、シャワーカラン１３はシャワーホース８に連結されている。シャワーカラン１３を使用するときは、シャワーカラン１３をシャワーカラン保持部１２よりはずし、引き出せばシャワーホース８は収納されたシャワーホース収納部６より引き出され、シャワーカラン１３は自由に使用できる。この時シャワーホース８はシャワーホース収納部６内にたるみをもって収納されており、通常の使用ではシャワーホース収納部６より全体が出ることはない。
【００１５】
この洗面ボウルを備えた洗面化粧台ではシャワーホース収納部６とオーバーフロー排水筒部１０を一体に設けているために施工現場での施工が容易である効果を有する。
【図面の簡単な説明】
【００１６】
【図１】本発明にかかる洗面化粧台の洗面ボウルの実施例の斜視図。
【図２】図１に示す実施例の洗面化粧台の洗面ボウルの横断面説明図。
【符号の説明】
【００１７】
１            樹脂製洗面ボウル本体
２            排水口
３            排水管接続部
４            ネジ部
５            立ち上げ背壁
６            シャワーホース収納部
７            下端水抜き孔
８            シャワーホース
９            仕切板
１０          オーバーフロー排水筒部
１１          オーバーフロー口
１２          シャワーカラン保持部
１３          シャワーカラン
【図１】
2008125924.tif 000003
【図２】
2008125924.tif 000004